(57)【要約】【課題】ＩＣタグ付き用紙を取扱う用紙搬送装置において、用紙が正規の位置にあるかを判断する。また、複数のＩＣタグを備えた用紙の取扱いにおいて、個々のＩＣタグに対し、別個に通信を行う。【解決手段】ＩＣタグ３０と、これと通信を行うリーダライタ２８のアンテナの間に、通信可能範囲を限定する開口３４を有するシールド板３６を配置する。開口３４に対向する位置をＩＣタグ３０が通過すると、通信が確立され、これをもって用紙１４が正規の位置を通過したことが判定される。用紙１４が通過したのに通信が確立できなければ、正規の位置を通過しなかったと判定される。シールド板３６とリーダライタ２８を移動して、用紙に複数備えられたＩＣタグと、別個に通信を行うことができる。【選択図】図２
2008137787.tif 000002
【特許請求の範囲】
【請求項１】
ＩＣタグ付き用紙が給紙部から排紙部に搬送される経路である搬送経路と、
給紙部、排紙部および搬送経路の何れかの所定位置で、用紙と対向するように配置されるアンテナと、
アンテナを介して無線で用紙のＩＣタグとの通信を行うリーダライタと、
アンテナと用紙の間に介在し、ＩＣタグとの通信が可能な範囲を限定する開口を有し、開口周囲において電磁波を遮蔽する通信範囲限定部材と、
を有する用紙搬送装置。
【請求項２】
請求項１に記載の用紙搬送装置であって、
ＩＣタグは用紙の所定位置に配置され、さらに、
ＩＣタグが、通信範囲限定部材の開口により限定された通信可能範囲を通過する、またはこの通信可能範囲に存在することを、リーダライタとＩＣタグの通信状況から判断し、用紙が正規位置にあるかを判断する用紙位置判定部、
を有する用紙搬送装置。
【請求項３】
請求項２に記載の用紙搬送装置であって、用紙位置判定部は搬送経路を搬送される用紙の通過位置の判断を行う、用紙搬送装置。
【請求項４】
請求項２に記載の用紙搬送装置であって、用紙位置判定部は排紙部に置かれた用紙の位置の判断を行う、用紙搬送装置。
【請求項５】
請求項２に記載の用紙搬送装置であって、用紙位置判定部は給紙部に置かれた用紙の位置の判断を行う、用紙搬送装置。
【請求項６】
請求項２から５のいずれか１項に記載の用紙搬送装置であって、通信範囲限定部材の開口の面積を変更する開口面積変更手段を有する、用紙搬送装置。
【請求項７】
請求項２から５のいずれか１項に記載の用紙搬送装置であって、通信範囲限定部材の開口の位置を変更する開口位置変更手段を有する、用紙搬送装置。
【請求項８】
請求項２から５のいずれか１項に記載の用紙搬送装置であって、通信範囲限定部材の用紙またはアンテナからの距離を変更する通信範囲変更手段を有する、用紙搬送装置。
【請求項９】
請求項１に記載の用紙搬送装置であって、
前記用紙のＩＣタグは、１枚の用紙に複数が付与されており、
通信範囲限定部材の開口の位置を、複数のＩＣタグの一つ一つに対向するよう順次変更する開口位置変更手段、
を有し、個々のＩＣタグとの通信は、順次別個に行われる、用紙搬送装置。
【請求項１０】
請求項９に記載の用紙搬送装置であって、通信範囲限定部材の開口の面積を変更する開口面積変更手段を有する、用紙搬送装置。
【請求項１１】
請求項９に記載の用紙搬送装置であって、通信範囲限定部材の用紙またはアンテナからの距離を変更し、開口による通信可能範囲を変更する通信範囲変更手段を有する、用紙搬送装置。
【発明の詳細な説明】
【技術分野】
【０００１】
本発明は、ＩＣタグ付き用紙を搬送する用紙搬送装置に関する。
【背景技術】
【０００２】
微小な無線チップを対象物に取り付け、このチップと無線通信を行って対象物の認証を行うＲＦＩＤ（Radio Frequency Identification）と呼ばれる認証システムが実用に供されている。対象物に取り付けられる無線チップは、非接触ＩＣタグ、ＲＦＩＤタグなどと呼ばれている。以下、この非接触ＩＣタグを、ＩＣタグと記す。
【０００３】
このＩＣタグを用紙に取り付け、所定の情報をこのタグに記録し、後にこの情報を読み出して利用する技術が開発されている。また、一旦記録した内容を書き換えることも可能であり、バーコード、二次元コードなどによる識別に比べて、より広い用途への適用が期待されている。下記特許文献１には、連続紙に印刷する装置に関し、所定の間隔で非接触ＩＣタグを取り付けた連続紙を取り扱う技術が記載されている。
【０００４】
また、下記特許文献２には、ＩＣタグの記憶内容の改ざんを防止するために、金属シートにより電磁波の遮蔽を行う技術が記載されている。
【０００５】
【特許文献１】特開２００３−１４０５４８号公報
【特許文献２】特開２００４−３５２３４２号公報
【発明の開示】
【発明が解決しようとする課題】
【０００６】
所定の大きさに裁断されたシート紙を取り扱う場合、シート紙が所定の位置にあるかが重要である。例えば、シート紙に印刷を行う場合、シート紙が所定の位置からずれていれば、ずれた位置に印刷が行われてしまう。よって、シート紙がずれていないかを判断する技術が望まれている。また、１枚のシート紙に複数のＩＣタグが付与されている場合、複数のタグのうち、通信の対象となるタグを特定しなければならない。
【０００７】
本発明は、上記の要望のうち、少なくとも一つを達成することを目的とする。
【課題を解決するための手段】
【０００８】
（１）本発明の用紙搬送装置は、ＩＣタグ付き用紙が給紙部から排紙部に搬送される経路である搬送経路と、給紙部、排紙部および搬送経路の何れかの所定位置で、用紙と対向するように配置されるアンテナと、アンテナを介して非接触で用紙のＩＣタグとの通信を行うリーダライタと、アンテナと用紙の間に介在し、ＩＣタグとの通信が可能な範囲を限定する開口を有する通信範囲限定部材と、を有する。
【０００９】
（２）上記（１）に記載の用紙搬送装置において、ＩＣタグは用紙の所定位置に配置され、さらに、ＩＣタグが、通信範囲限定部材の開口により限定された通信可能範囲を通過する、またはこの通信可能範囲に存在することを、リーダライタとＩＣタグの通信状況から判断し、用紙が正規位置にあるかを判断する用紙位置判定部を有するようにできる。
【００１０】
（３）上記（２）に記載の用紙搬送装置において、用紙位置判定部は搬送経路を搬送される用紙の通過位置の判断を行うようにできる。
【００１１】
（４）上記（２）に記載の用紙搬送装置において、用紙位置判定部は排紙部に置かれた用紙の位置の判断を行うようにできる。
【００１２】
（５）上記（２）に記載の用紙搬送装置において、用紙位置判定部は給紙部に置かれた用紙の位置の判断を行うようにできる。
【００１３】
（６）上記（２）から（５）のいずれか一つに記載の用紙搬送装置において、通信範囲限定部材の開口の面積を変更する開口面積変更手段を有するようにできる。
【００１４】
（７）上記（２）から（５）のいずれか一つに記載の用紙搬送装置において、通信範囲限定部材の開口の位置を変更する開口位置変更手段を有するようにできる。
【００１５】
（８）上記（２）から（５）のいずれか一つに記載の用紙搬送装置において、通信範囲限定部材の用紙またはアンテナからの距離を変更し、通信可能範囲の大きさを変更する通信範囲変更手段を有するようにできる、
【００１６】
（９）上記（１）に記載の用紙搬送装置において、前記用紙のＩＣタグは、１枚の用紙に複数が付与されており、通信範囲限定部材の開口の位置を、複数のＩＣタグの一つ一つに対向するよう順次変更する開口位置変更手段、を有し、個々のＩＣタグとの通信は、順次別個に行われるようにできる。
【００１７】
（１０）上記（９）に記載の用紙搬送装置において、通信範囲限定部材の開口の面積を変更する開口面積変更手段を有するようにできる。
【００１８】
（１１）上記（９）に記載の用紙搬送装置において、通信範囲限定部材の用紙またはアンテナからの距離を変更し、開口による通信可能範囲を変更する通信範囲変更手段を有するようにできる。
【発明の効果】
【００１９】
上記（１）の構成によれば、ＩＣタグとの通信が可能な範囲を限定することができる。
【００２０】
上記（２）の構成によれば、用紙が正規の位置にあるかを判断できる。
【００２１】
上記（３）の構成によれば、搬送経路上の用紙が正規の位置を通過したかを判断できる。
【００２２】
上記（４）の構成によれば、排紙部に置かれた用紙が正規の位置にあるかを判断できる。
【００２３】
上記（５）の構成によれば、給紙部に置かれた用紙が正規の位置にあるかを判断できる。
【００２４】
上記（６）の構成によれば、通信可能な範囲の大きさを変更することができる。
【００２５】
上記（７）の構成によれば、通信可能な範囲の位置を変更することができる。
【００２６】
上記（８）の構成によれば、通信可能な範囲の大きさを変更することができる。
【００２７】
上記（９）の構成によれば、複数のＩＣタグを備えた用紙に対応できる。
【００２８】
上記（１０）の構成によれば、通信可能な範囲の位置を変更することができる。
【００２９】
上記（１１）の構成によれば、通信可能な範囲の大きさを変更することができる。
【発明を実施するための最良の形態】
【００３０】
以下、本発明の実施形態を図面に従って説明する。図１は、本発明の実施形態にかかる画像処理装置としてのプリンタ１０の概略構成図である。以下で説明するプリンタ１０は、比較的大型の高速プリンタであり、比較的長さの短い用紙、すなわちシート状の用紙を順次処理する装置を想定している。本実施形態の用紙搬送装置は、このシート状の用紙を送る装置としてプリンタ１０に組み入れられている。しかし、本発明の用紙搬送装置は、大型、高速機に限らず、複写機や小型プリンタ、スキャナなどにも適用することができる。「用紙」は、いわゆるコピー紙などの薄い紙の他、樹脂製のフィルム、厚紙などを含む用語として用いる。
【００３１】
給紙部１２には、印刷待ちの用紙１４が積載されて収容された給紙トレイ１２ａ，１２ｂ，１２ｃ，１２ｄが備えられている。この実施形態のプリンタ１０においては、給紙部は４個であるが、その数はこれに限定されない。給紙部１２の用紙は、搬送路１６に沿って印刷部１８に送られる。印刷部１８においては、原稿画像データに基づきトナー画像が形成され、これが転写部２０において、搬送路１６上を送られてくる用紙１４に転写される。トナー画像が転写された用紙１４は、更に搬送路１６を送られ、定着部２１に達する。定着部２１には、定着ローラが設けられており、これにより用紙上のトナーに対して加熱、加圧が行われ、トナーが用紙に定着される。
【００３２】
トナー画像の転写および定着によって画像の印刷が終了した用紙１４は、さらに、下流へと搬送されて、排紙部２２または両面印刷用搬送路２４に送られる。排紙部２２には、排紙トレイ２２ａ，２２ｂ，２２ｃが備えられており、用紙１４ごとに所定の排紙トレイに送られる。この実施形態のプリンタ１０は、前述のように３つの排紙部を有するが、この数はこれに限定されない。また、複数の排紙トレイの内、一つを印刷不良の用紙を排紙する不良印刷用排紙トレイとすることができる。このプリンタ１０の場合、排紙部２２ｃがこれにあたる。両面印刷用搬送路２４に送られた用紙１４は、表裏を反転されて、再び搬送路１６に戻されて印刷部１８に送られ、裏面への印刷が行われる。
【００３３】
プリンタ１０は、ＩＣタグ３０（図２参照）が取り付けられた用紙１４を取り扱う際に、このタグと通信を行うための通信部２６を有している。通信部２６は、搬送路１６上の給紙部１２と印刷部１８の間、特に両面印刷用搬送路２４と印刷部１８の間に設けることができる。しかし、搬送路１６上のどの位置に設けることも、さらには給紙部１２または排紙部１４に設けることも可能である。通信部２６においては、搬送されてきた用紙１４のＩＣタグに対し、所定の情報を書き込むこと、また記憶されている情報を読み出すことができる。
【００３４】
図２は、通信部２６の主要構成を示す図である。搬送路１６の上方には、アンテナ内蔵型のリーダライタ２８が配置され、搬送路上を送られる用紙１４に取り付けられたＩＣタグ３０との通信が可能となっている。リーダライタ２８は、制御部３２の制御に従い、制御部３２から送られた情報をＩＣタグ３０に書き込み、またＩＣタグ３０から情報を読み出し、これを制御部３２に送る。ＩＣタグ３０は、用紙１４上の所定の位置に取り付けられており、取り付けの態様としては、埋め込まれるように設けることもできるし、また貼付してもよい。搬送路１６とリーダライタ２８の間には、開口３４を有するシールド板３６が配置されている。シールド板３６は、導電性材料、好ましくは金属材料の形成され、リーダライタ２８の送受する電磁波の内、シールド板３６を通過しようとする電磁波を遮蔽する。言い換えれば、リーダライタ２８の通信可能な範囲は、シールド板３６の開口３４を通過する電磁波の到達する範囲に限定される。
【００３５】
図３は、搬送路１６の平面図である。搬送路１６の一方の側方には、側壁３８が設けられており、用紙１４は、この側壁３８に突き当てられて、搬送方向に対し横方向の位置が決められる。図３（ａ）は、用紙１４が、側壁３８が突き当った状態、すなわち正規の状態で搬送されている状態を示し、図３（ｂ）は、用紙１４が、側壁３８に正規の位置にない状態で搬送されている状態を示している。また、搬送路１６には、用紙１４が、搬送方向においてリーダライタ２８との通信が可能となる位置に達したことを検出する用紙センサ４０が配置されている。用紙センサ４０は、例えば、光センサを用いることができ、センサ自身が発した光が、用紙により反射し、この反射光を受けて用紙の有無を検出することができる。図３（ａ）に示すように、ＩＣタグ３０が開口３４に対向する位置に搬送されてくると、用紙センサ４０は、用紙１４が通信可能な領域に達したことを検出し、これを制御部３２に伝達する。用紙センサ４０は、用紙１４が図３（ｂ）に示す横方向に関し正規の位置でない位置にある場合でも、用紙１４が、このセンサの位置に達したことを検出して、制御部３２に知らせる。
【００３６】
用紙１４が正規の位置で搬送されると、用紙１４に取り付けられたＩＣタグ３０は、シールド板３６の開口３４の位置を通過する。この通過のときに、リーダライタ２８とＩＣタグ３０間の通信が確立し、情報の送受が行われる。一方、用紙１４が正規の位置で搬送されている場合、ＩＣタグ３０は開口３４の位置を通過せず、通信を行うことができない。用紙センサ４０が、用紙１４が当該センサの位置に到達したことを検出したとき、ＩＣタグ３０との通信が確立されなければ、制御部３２は、用紙１４が横方向における正規の位置にない、すなわち横にずれていると判断する。
【００３７】
図４は、排紙部２２の排紙トレイ２２ａ，２２ｂの少なくとも一方のトレイに対応して、リーダライタ２８とシールド板３６を配置した例を示す図である。図において、リーダライタ２８は省略されているが、図２と同様、シールド板の開口３４に対向して設けられている。また、排紙トレイ２２ａ，２２ｂの端には、ストッパ壁４２が配置され、搬送されてきた用紙１４は、このストッパ壁４２に突き当たって、この位置で積み重ねられていく。用紙１４がストッパ壁４２に平行に突き当たった状態にあるのが、正規の位置である。この正規の位置に用紙１４がある状態が図４（ａ）に示されており、このとき、用紙１４上のＩＣタグ３０と開口３４の位置が一致する。したがって、用紙１４が排出されたときに、ＩＣタグ３０との通信が確立されなければ、制御部３２は、用紙１４が正規の位置に置かれなかったと判断する。用紙１４が正規の位置でない位置にある場合としては、例えば、図４（ｂ）に記載のように、用紙１４がストッパ壁４２に達しないか、または達した後、跳ね返って、ストッパ壁４２から離れた位置に置かれた場合が考えられる。また、図４（ｃ）のように用紙１４が正規の位置に対して斜めになった場合、図４（ｄ）のように、横方向にずれた場合なども考えられる。
【００３８】
図５は、給紙部１２の給紙トレイ１２ａ〜１２ｄの少なくとも一つのトレイに対応して、リーダライタ２８とシールド板３６を配置した例を示す図である。図において、リーダライタ２８は省略されているが、図２と同様、シールド板の開口３４に対向して設けられている。また、給紙トレイ１２ａ〜１２ｄの端には、ストッパ壁４４が配置され、用紙１４がユーザ等により投入されるときは、このストッパ壁４４に用紙１４の束の一辺が突き当てられて、位置合わせがなされる。正規に位置合わせがなされた場合には、図５（ａ）に示すように、開口３４とＩＣタグ３０の位置が一致し、ＩＣタグ３０とリーダライタ２８の通信が確立する。一方、例えば、図５（ｂ）のように用紙１４がストッパ壁４４に突き当てられていない状態であれば、ＩＣタグ３０と開口３４の位置がずれ、通信が遮断される。また、図５（ｃ）のように、用紙が反転されて、すなわち１８０度回転した状態でセットされた場合、ＩＣタグ３０は、リーダライタ２８から大きく離れてしまい、これらの間の通信が確立されない。制御部３２は、他の条件、例えば用紙トレイが正規の位置に装着された、などから用紙が投入されたと判断できるのに、ＩＣタグ３０との通信が行われないと、用紙１４のセット不良を判断する。
【００３９】
搬送路１６上、排紙部２２、給紙部１２に配置されるシールド板３６の大きさは、リーダライタ２８とＩＣタグ３０の通信が、シールド板３６の外側を通る電磁波により確立しない程度の大きさを有している必要がある。確実に、開口３４以外を介して通信が行われないようにするために、より大きな面積を覆うように、例えば、搬送路１６等の幅方向全体にわたって覆うシールド板３６を用いることもできる。
【００４０】
また、ＩＣタグ３０の取り付け位置が異なる用紙を取り扱う場合に対応するために、シールド板３６とリーダライタ２８の位置を移動できるように構成することができる。例えば、搬送路１６等を横切る方向に延びるガイドに沿ってシールド板３６等を移動可能とし、ボールねじ等により移動させるようにできる。さらに、用紙搬送方向にも移動できるように構成することもできる。また、電磁誘導型（例えば１３．５６ＭＨｚの周波数の電磁波を用いるタイプ）のＲＦＩＤの場合、リーダライタのアンテナの大きさが電磁波の波長に依存することがないので、比較的大きなアンテナを装備することができる。このような、大きなアンテナを設けた場合、アンテナの通信可能範囲をシールド板の開口により限定し、シールド板を移動させて限定された通信可能範囲を移動するように構成することもできる。
【００４１】
このように、通信可能範囲を移動するように構成すれば、後述する１枚に複数のＩＣタグを備えた用紙を取り扱う際、個々のＩＣタグと独立して通信を行うようにできる。すなわち、シールド板の開口を一つのＩＣタグの位置に移動して、このタグとのみ通信を行う。
【００４２】
また、シールド板３６の開口３４の大きさを変更できるように構成してもよい。例えば、図６のように、シールド板３６を本体３６ａとスライド片３６ｂとから構成し、スライド片３６ｂを、図の一点鎖線で示す位置にスライドさせることによって開口３４の大きさを変更させることができる。
【００４３】
また、シールド板３６およびリーダライタ２８の一方または双方を搬送路１６等に対して交差する方向に移動させることで、開口３４に対応する通信可能範囲を変更するようにできる。例えば図７に示すように、リーダライタ２８を搬送路１６に対して直交する方向に移動させて近づけることにより、通信可能範囲がＡ１で示す領域から、Ａ２で示す領域に変更される。
【００４４】
図８には、一枚の中に複数の電磁誘導型のＩＣタグ５２ａ〜５２ｄを備えた用紙５０が示されている。以下において、ＩＣタグ５２ａ〜５２ｄの個々を区別する必要がない場合添え字ａ，ｂ，ｃ，ｄを省略し、単に符号５２を用いて説明する。また、以下に登場する各構成についても、必要に応じて添え字ａ〜ｄを省略する。上記のように１枚に複数のＩＣタグ５２を設けた用紙は、例えば印刷時には、用紙５０の元の大きさのまま印刷を行い、印刷後裁断して、裁断後は、分割された個々の用紙５４ａ〜５４ｄごとに使用される。この分割された小さい用紙ごとに、少なくとも一つずつＩＣタグ５２ａ〜５２ｄが設けられている。したがって、分割後の用紙５０ａ〜５０ｄごとに別個の情報をＩＣタグ５２ａ〜５２ｄに書き込むことができる。用紙５０を裁断する前に、１枚の用紙５０の複数のＩＣタグ５２に別個の情報を記憶したいという要望がある。
【００４５】
図９および図１０は、１枚の用紙に備えられた複数のＩＣタグ５２に対し、別個に通信を行う搬送装置の通信部５６の要部構成を示す図であり、図１０は、図９に示すＸ−Ｘ線による断面図である。搬送路１６上には、リーダライタのアンテナ５８が配置されている。アンテナ５８は、１枚の用紙の全てのＩＣタグ５２を通信可能範囲とすることが可能な程度の大きさに定められている。通信部５６は、用紙搬送方向を横切る方向に延びる３本の横フレーム６０と、搬送方向に延びる１本の縦フレーム６２を有している。これらのフレーム６０，６２は、用紙５０の分割する線に対応して設けられている。すなわち、実施形態においては、中央の横フレーム６０と縦フレーム６２によって、分割された領域それぞれに、一つのＩＣタグ５２が属するようになっている。このようにフレームによって区画された各領域のそれぞれには、電磁波を遮蔽するシールド膜６４ａ〜６４ｄが設けられている。
【００４６】
シールド膜６４は、電磁波を遮蔽する材料で構成されるか、またはそのような材料の層を少なくとも１層含む。また、シールド膜６４は、可撓性のある材料であり、搬送路１６の側方に設けられたロール軸６６ａ〜６６ｄに巻き取ることができるようになっている。図９および図１０においては、シールド膜６４ａがロール軸６６ａに巻き取られた状態で示され、他のシールド膜６４ｂ〜６４ｄは、ロール軸６６ｂ〜６６ｄから繰り出されて、搬送路１６上を覆うように位置している。
【００４７】
図９および図１０に示された状態では、ＩＣタグ５２ａとのみ通信が可能状態である。つまり、本来、アンテナ５８の通信可能範囲は、複数のＩＣタグ５２の全てを含む程度に広いが、シールド膜６４ａ〜６４ｄを適宜開閉することで、その通信可能範囲が限定される。ＩＣタグ５２ａとの通信が終了後は、シールド膜６４ａをロールから繰り出して、ＩＣタグ５２ａを覆うようにし、次に読み取り、書き込むを行うＩＣタグ５２に対応するシールド膜６４を巻き取り、これとの通信が可能なようにする。これを順次繰り返し、必要な複数のＩＣタグ５２に対して読み取り、書き込みの処理を行う。必要なＩＣタグ５２全ての処理が終了したら、用紙５０を後流へ送り出す。また、シールド膜６４を完全に巻き取らず、一部搬送路上に残すようにすれば、開口面積、すなわち、通信可能範囲の大きさを変更することもできる。
【００４８】
図１１は、シールド膜とこれを巻き取ったロールの他の構成例を示している。シールド膜６８は、搬送路の左右の側端に位置するロール軸７０ａ，７０ｂの双方に巻き取られることができる。シールド膜６８は、その長さ方向に、電磁波を遮蔽する部分７２、透過する部分７４を有している。図１１においては、透過する部分７４がＩＣタグ５２ａに対向する位置にあり、ＩＣタグ５２ｄには電磁波を遮蔽する部分７２が対向している。シールド膜６８のロール軸７０ａに巻き付けられた部分を繰り出し、ロール軸７０ｂに巻き取るようにすると、電磁波を透過する部分７４が図中右方向に移動し、ＩＣタグ５２ｄに対向する位置とすることができる。このとき、ＩＣタグ５２ａに対しては、電磁波を遮蔽する部分７２が対向する。この例のように、対向するロール軸７０ａ，７０ｂの間で、シールド膜６８のやりとりを行う構成を採る場合、電磁波を透過する部分の長さを適宜定めておけば、シールド膜の移動する方向にＩＣタグ５２が３つ以上配列されている場合にも対応することができる。
【００４９】
図１２は、１枚に複数のＩＣタグ５２が設けられた用紙５０に対応した通信部７６の要部構成を示す図である。図９および図１０に示す通信部５６においては電磁波を遮蔽する部材が可撓性のある膜状の部材であるのに対し、図１２の通信部７６においては、剛体の板状の部材である点で相違する。用紙５０上の複数のＩＣタグの数に対応した数（図においては４個）のシールド板７８ａ〜７８ｄが設けられている。シールド板７８は、電磁波を遮断する材質、例えば金属の板であってもよく、また、電磁波を遮断する材質の層を含む板状部材であってもよい。
【００５０】
ぞれぞれのシールド板７８には、アクチュエータ８０ａ〜８０ｄが備えられ、シールド板７８を移動させる。図１２に示す状態は、ＩＣタグ５２ａとの通信を可能とし、他のＩＣタグ５２ｂ〜５２ｄとの通信は遮断された状態を示している。前述した通信部５６のシールド膜６８と同様に、シールド板７８を順次開閉することによって、複数のＩＣタグ５２に対し、個別の処理を行うことができる。
【００５１】
図１３は、図１２のシールド板を有する通信部７６の変形例の要部構成を示す図である。この変形例は、２枚のシールド板８２ａ，８２ｂを有する。このシールド板８２も、前述のシールド板７８と同様に、電磁波を遮断する材質の板、またはこのような材質の層を含む板状部材とすることができる。これらのシールド板８２には、それぞれ、シールド板を移動させるためのアクチュエータ（不図示）が設けられている。図１３（ａ）に示すように、シールド板８２ａを図中下方に移動させると、ＩＣタグ５２ａが通信可能状態となる。また、図１３（ｂ）のように図中上方に移動させると、ＩＣタグ５２ｄが通信可能な状態となる。ＩＣタグ５２ｂ，５２ｃとの通信を可能にするには、もう一方のシールド板８２ｂを、前述のシールド板８２ａの操作と同様に操作する。
【００５２】
図１４は、図１２のシールド板を有する通信部７６のさらに他の変形例の要部構成を示す図である。この変形例のシールド板８４は、１箇所に開口８６を有する１枚の板であり、アクチュエータ８６により回転駆動されることにより、開口８６の位置が移動する。図示する例においては、シールド板８４は円板であり、その円の中心が回転中心となっている。開口８６は、円板の中心からずれて位置し、シールド板８４が回転することにより、シールド板の中心の周りを回転運動する。この開口８６の回転運動の軌跡上に、用紙５０の各ＩＣタグ５２ａ〜５２ｄが位置するようにする。これにより、開口８６の位置を順次変更させて、個々のＩＣタグ５２の通信を独立して行えるようにしている。図１４（ａ）は、開口８６がＩＣタグ５２ａに対向する位置にある状態を示し、図１４（ｂ）は、ＩＣタグ５２ｂに対向する位置にある状態を示す。ＩＣタグ５２ｃ，５２ｄについても、シールド板８４を回転させて開口８６を移動させることにより、それぞれ別個に通信可能となる。
【００５３】
以上、複数のＩＣタグを備えた用紙のとして、４個のタグを備えたものについて説明したが、ＩＣタグの数は、これに限定されない。
【図面の簡単な説明】
【００５４】
【図１】高速プリンタの用紙の搬送に係る概略構成を示す図である。
【図２】用紙のＩＣタグとの通信を行う通信部の要部構成を示す図である。
【図３】搬送路を搬送される用紙のＩＣタグとの通信を利用した用紙位置の判別方法を説明する図である。
【図４】排紙トレイ上にある用紙の位置の判別方法を説明する図である。
【図５】給紙トレイ上にある用紙の位置の判別方法を説明する図である。
【図６】開口の大きさを変更できるようにしたシールド板の一例を示す図である。
【図７】シールド板またはリーダライタのアンテナの、搬送路からの距離の変化により通信可能範囲の変更を説明する図である。
【図８】１枚に複数のＩＣタグが付けられた用紙を示す図である。
【図９】複数のＩＣタグを備えた用紙に対応した通信部の要部構成を示す平面図である。
【図１０】図９に示すＸ−Ｘ線における断面図である。
【図１１】複数のＩＣタグを備えた用紙に対応した通信部の変形例の要部を示す図である。
【図１２】複数のＩＣタグを備えた用紙に対応した通信部の他の変形例の要部を示す図である。
【図１３】複数のＩＣタグを備えた用紙に対応した通信部のさらに他の変形例の要部を示す図である。
【図１４】複数のＩＣタグを備えた用紙に対応した通信部のさらに他の変形例の要部を示す図である。
【符号の説明】
【００５５】
１０  プリンタ、１２  給紙部、１４，５０  用紙、１６  搬送路、２２  排紙部、２６，５６，７６  通信部、２８  リーダライタ、３０，５２  ＩＣタグ、３４，８６  開口、３６，７８，８２，８４  シールド板（通信範囲限定部材）、６４，６８  シールド膜（通信範囲限定部材）、７２  遮蔽部分、７４  透過部分、８０  アクチュエータ。
【図１】
2008137787.tif 000003
【図２】
2008137787.tif 000004
【図３】
2008137787.tif 000005
【図４】
2008137787.tif 000006
【図５】
2008137787.tif 000007
【図６】
2008137787.tif 000008
【図７】
2008137787.tif 000009
【図８】
2008137787.tif 000010
【図９】
2008137787.tif 000011
【図１０】
2008137787.tif 000012
【図１１】
2008137787.tif 000013
【図１２】
2008137787.tif 000014
【図１３】
2008137787.tif 000015
【図１４】
2008137787.tif 000016